(57)【要約】      （修正有）【課題】軌間が変化しても該変化に追従して軌道レール上を走行する軌道用台車を提供する。【解決手段】物品Ｌを受支する積載物品の受台１にガイドレール１Ａを設け、該ガイドレール１Ａに沿って転動する案内ローラ４を備えた一対の車輪体３，３を前記受台１に移動自在に組付ける。そして、一対の車輪体３，３の相対する側に一端を回動自在接続した各仲介片９の他の一端を、前記受台１に中央部において回動自在に枢着した連結片７の端部に回動自在に接続する。また、各車輪体３には軌道レールＲ上を走行する走行車輪５を回動自在に枢着する。【選択図】図２
2008074141.tif 000002
【特許請求の範囲】
【請求項１】
積載物品の受台にガイドレールを設け、該ガイドレールに沿って転動する案内ローラを備えた一対の車輪体を前記受台に移動自在に組付け、該一対の車輪体の相対する側に一端を回動自在接続した各仲介片の他の一端を、前記受台に中央部において回動自在に枢着した連結片の端部に回動自在に接続すると共に、各車輪体には軌道レール上を走行する走行車輪を回動自在に設けた、軌道用台車。
【請求項２】
積載物品の受台にガイドレールを設け、該ガイドレールに沿って転動する案内ローラを備えた一対の車輪体を前記受台に移動自在に組付け、該一対の車輪体の相対する側に一端を回動自在接続した各仲介片の他の一端を、前記受台に中央部において回動自在に枢着した連結片の端部に回動自在に接続すると共に、各車輪体には軌道レール上を走行する走行車輪を回動自在に設けて台車を構成し、軌道レール上に前後に並べて配した前記台車の前記ガイドレール上にわたしてラダー型枕木を積載した、ラダー型枕木の運搬装置。
【発明の詳細な説明】
【技術分野】
【０００１】
本発明は、軌道レール上を走行し、概し、鉄道線路の保守点検のために現場への物品の搬送のために用いる軌道用台車とラダー型枕木の運搬装置に関するものである。
【発明の開示】
【発明が解決しようとする課題】
【０００２】
鉄道レールの枕木交換工事は、旧枕木からレールを外してレール交換地点の軌間を広げ（これと相前後して旧枕木を取り除く）、旧枕木を取り除いた部分に新枕木を敷設し、該新枕木上に軌間を再び狭めてレールを載置組付けるのであるが、左右一対の、レールの長手方向に沿って長い縦梁と、この縦梁をレール直角方向に適当な間隔で連結した継材とで成る梯子状のラダー型枕木を新枕木として交換するに、その大きさ、形状から従前の横枕木のように予め現場に搬送して積層保管しておくことが困難で、従って、そのような地点においてはラダー型枕木を新枕木として用いることを避けざるを得ないことになる。
【０００３】
本発明は、左様な場合にも適用でき、ラダー型枕木等の積載物品を運搬するに好適な軌道用台車を提供すべく創案したものである。
【課題を解決するための手段】
【０００４】
積載物品の受台にガイドレールを設け、該ガイドレールに沿って転動する案内ローラを備えた一対の車輪体を前記受台に移動自在に組付け、該一対の車輪体の相対する側に一端を回動自在接続した各仲介片の他の一端を、前記受台に中央部において回動自在に枢着した連結片の端部に回動自在に接続すると共に、各車輪体には軌道レール上を走行する走行車輪を回動自在に設けた構成とするものである。
【発明の効果】
【０００５】
本発明によれば、連結片とこれに回動自在に接続した仲介片が、いわばリンク機構を構成して各仲介片に接続した車輪体が互いに近接、離開し、該近接、離開の程度が、走行車輪の軌道レールの軌間として現われ、走行車輪は当該軌間に追従して軌道レール上を走行することができ、従って、軌間の異なる軌道レールに対応した台車を提供することができる。
【０００６】
また、本発明に係るラダー型枕木の運搬装置は、枕木交換現場に於いて軌間を広げたレール部に連結する、枕木搬送個所の、軌間が常態時の幅にあるレール部上に前後一対の台車を移動自在に載せ、該台車の受台間にわたしてラダー型枕木を積載し、該積載した状態を維持させつつ、枕木搬送個所のレール部から枕木交換現場のレール部位置まで移動させることができる。すなわち、当該レール部位置に至って山越器（公知）を用いて受台上のラダー型枕木を吊上げ、吊上げた状態を保持した状態で当該個所から各台車を枕木運搬個所へと戻す一方、ラダー型枕木を吊り下して敷設し（必要とあらば、台車によるラダー型枕木の搬送を繰り返して）、該敷設後は、当該ラダー型枕木上に、軌間を広げた前記レール部を元に戻して載置して固定し、常態時の軌道レールに戻す、新枕木としてラダー型枕木を用いるレール交換工事に好適である。
【実施例】
【０００７】
図面は本発明にかかる軌道用台車の一実施例を示し、図１は正面図、図２は平面図、図３はラダー型枕木の搬送中の状態を示す側面図、図４は図１の一部拡大図、図５は図４の側面図、図６は受台とリンク機構の関係を示す一部欠截正面図である。
【０００８】
実施例の軌道用台車Ａは、受台１の中央にリンク機構２の中央部を組付け、該リンク機構２の両端に車輪体３を回動自在に組付け、車輪体３に備えた案内ローラ４を前記受台１に設けたガイドレール１Ａに転動自在に組合わせると共に、走行車輪５を軌道レールＲ上に転動自在に載置して軌道レールＲに沿って走行するようにし、軌道レールＲに沿って配して前後一対の台車Ａ，Ａの前記受台１，１上にわたして積載したラダー型枕木Ｌを搬送するようにしたものである。
【０００９】
受台１は、垂直部１ａの上下に水平部１ｂ，１ｂ´を相対設して構成した断面やや横伏Ｈ形体で成り、垂直部１ａの両面側を前記水平部１ｂ，１ｂ´をガイド材とするガイドレールとするもので、この受台１の前記下側水平部１ｂ´の長手方向の中央部にスペーサ６を介して前記リンク機構２の連結部片７を、その長手方向の中央において回動自在に枢着してある。
【００１０】
リンク機構２は、前記連結部片７と該連結部片７の両端のそれぞれに接続ピン８で仲介片９の一端を回動自在に接続し、仲介片９の他の一端をそれぞれ前記車輪体３の車輪枠１０に連結ピン１１で回動自在に枢着して構成したものである。
【００１１】
車輪体３は、中央部片の両側に側部片を相対設して構成した上、下の枠部１０ａ，１０ｂを直交方向に配して前記中央部片において互いに接続して前記車輪枠１０を構成し、この車輪枠１０の前記上枠部１０ａの側部片間に前後それぞれ一対の案内ローラ４，４を回動自在に枢着し、また、前記下枠部１０ｂの側部片間には前後一対の前記走行車輪５，５を回動自在に軸支させて成るものである。
【００１２】
そして、前記案内ローラ４を前記受台１の上、下の水平部１ｂ，１ｂ´をガイド材とするガイドレール１Ａに係合させるようにしてこの車輪体３を受台１に組合わせ、該受台１の両側にそれぞれ組合わせた車輪体３の走行車輪５を軌道レールＲ上に載置して、車輪枠１０の下枠部１０ｂに設けた突部片１０ｂ´と受台１に組合わせたリンク機構２の前記仲介片９の端部とを連結ピン１１で互いに回動自在に直結することにより、一対の台車Ａ，Ａは軌道レールＲ上に走行自在に配せられる。
【００１３】
しかして、軌道レールＲ上に該レールＲの長手方向に沿って並べた前後一対の台車Ａ，Ａ上にラダー型枕木Ｌをわたすようにして積載し、車輪枠１０の上枠部１０ａに立設した係止リング１２を利用してラダー型枕木Ｌを台車Ａにロープｍで固定し、現場へと搬送するようにして用いるのである。
【００１４】
この、枕木交換現場への搬送移動に際し、軌道レールＲの軌間は、交換現場に於いては漸次広くなっているが、軌道レールＲに沿う走行車輪５の移動に伴って連結片７は回動し、該連結片７に仲介片９を介して接続した、すなわちリンク機構２を介して接続した案内ローラ４は前記走行車輪５の走行に追従してガイドレール１Ａに沿って移動し、台車Ａの軌道レールＲの軌間の広狭に対応した移動が支障なく行われる。
【００１５】
そして、ラダー型枕木Ｌを搬送個所のレール部から枕木交換現場のレール部位置まで移動させ、当該位置に至って山越器（公知）を用いてガイドレール１上からラダー型枕木Ｌを吊上げ、吊上げた状態を保持した状態で当該個所から各台車Ａを枕木運搬個所方向へと戻す一方、ラダー型枕木を吊り下して敷設（必要とあらば、台車によるラダー型枕木の搬送を繰り返して）するのである。
【００１６】
なお、敷設後は、当該ラダー型枕木上に、軌間を広げた前記レール部を元に戻して載置して固定し、常態時の軌道レールに戻すことによりレール交換作業を終える。
【図面の簡単な説明】
【００１７】
【図１】正面図。
【図２】平面図。
【図３】ラダー型枕木の搬送中の状態を示す側面図。
【図４】図１の一部拡大図。
【図５】図４の側面図。
【図６】ガイドレールとリンク機構の関係を示す一部欠截正面図。
【符号の説明】
【００１８】
１      受台
１Ａ    ガイドレール
３      車輪体
５      走行車輪
７      連結片
９      仲介片
【図１】
2008074141.tif 000003
【図２】
2008074141.tif 000004
【図３】
2008074141.tif 000005
【図４】
2008074141.tif 000006
【図５】
2008074141.tif 000007
【図６】
2008074141.tif 000008